(57)【要約】      （修正有）【課題】稼働効率を向上させる脳磁計を提供する。【解決手段】脳磁計１は、被験者Ｐの活動に伴って発生する磁場を測定するセンサー部３と、センサー部３を冷却する液化ヘリウム５が収容されるデュワー７と、デュワー７内に設けられた熱交換器と、熱交換器を冷却する冷凍機ユニット１Ｃと、センサー部３と冷凍機ユニット１Ｃとを制御する制御ユニット１Ｂと、を備え、制御ユニット１Ｂは、センサー部３による磁場測定中に、デュワー７内の気化したヘリウムを熱交換器で冷却して凝縮させるように、センサー部３及び冷凍機ユニット１Ｃを動作させる。【選択図】図１
2019005492.tif 000002
【特許請求の範囲】
【請求項１】
被験者の脳の活動に伴って発生する磁場を測定するセンサー部と、
前記センサー部を冷却する液体の寒剤が収容される容器部と、
前記容器部内に設けられた熱交換器と、
前記熱交換器を冷却する冷却部と、
前記センサー部と冷却部とを制御する制御部と、を備え、
前記制御部は、
前記センサー部による磁場測定中に、前記容器部内の気化した前記寒剤を前記熱交換器で冷却して凝縮させるように、前記センサー部及び前記冷却部を動作させる、脳磁計。
【請求項２】
前記熱交換器の下方に設けられ、前記熱交換器によって凝縮した寒剤の液滴が前記容器部内の前記寒剤の液面に直接滴下することを抑制する滴下抑制部を更に備える、請求項１に記載の脳磁計。
【請求項３】
前記滴下抑制部の下端は、前記寒剤の液面下に位置する、請求項２に記載の脳磁計。
【請求項４】
前記滴下抑制部は、液体の前記寒剤を浸潤させる材料からなる、請求項２又は３に記載の脳磁計。
【発明の詳細な説明】
【技術分野】
【０００１】
本発明は脳磁計に関するものである。
【背景技術】
【０００２】
従来、このような分野の技術として、下記特許文献１に記載の脳磁計が知られている。この脳磁計では、デュワー内に液化ヘリウムが溜められ、この液化ヘリウムにＳＱＵＩＤセンサーが浸漬される。液化ヘリウムで冷却されたＳＱＵＩＤセンサーが超伝導転移し、このＳＱＵＩＤセンサーによって被験者の脳から発生する微弱な磁場が検出される。
【先行技術文献】
【特許文献】
【０００３】
【特許文献１】特開2010-46344号公報
【発明の概要】
【発明が解決しようとする課題】
【０００４】
この種の脳磁計では、液化ヘリウムは徐々に蒸発し減少するため、液化ヘリウムがある程度減少したときには、デュワー内に液化ヘリウムを補充することが必要である。液化ヘリウムを補充する方法としては、蒸発したヘリウムを回収し凝縮させるか、または、液化ヘリウムをデュワー内に追加注液する。このような補充処理の際には、磁場の測定を停止する必要があり、補充処理が脳磁計の稼働効率低下の一因となっている。この課題に鑑み、本発明は、稼働効率を向上させる脳磁計を提供することを目的とする。
【課題を解決するための手段】
【０００５】
本発明の脳磁計は、被験者の脳の活動に伴って発生する磁場を測定するセンサー部と、センサー部を冷却する液体の寒剤が収容される容器部と、容器部内に設けられた熱交換器と、熱交換器を冷却する冷却部と、センサー部と冷却部とを制御する制御部と、を備え、制御部は、センサー部による磁場測定中に、容器部内の気化した寒剤を熱交換器で冷却して凝縮させるように、センサー部及び冷却部を動作させる。
【０００６】
この脳磁計によれば、センサー部による磁場測定と、凝縮による寒剤の補充とを並行して実行することが可能になる。従って、寒剤の補充処理で脳磁計の稼働時間が侵食されることが避けられ、稼働効率が向上する。
【０００７】
本発明の脳磁計は、熱交換器の下方に設けられ、熱交換器によって凝縮した寒剤の液滴が容器部内の寒剤の液面に直接滴下することを抑制する滴下抑制部を更に備えるようにしてもよい。この場合、凝縮した寒剤が、容器部内の寒剤の液面に直接滴下することが抑制されるので、液面への滴下に起因して発生する磁気ノイズが低減され、センサー部による磁場測定への悪影響が低減する。
【０００８】
滴下抑制部の下端は、寒剤の液面下に位置するようにしてもよい。この構成によれば、熱交換器で凝縮された寒剤を、滴下抑制部を通じて液面まで案内することが可能になる。よって、寒剤が液面に直接滴下することが避けられ、上記の磁気ノイズが低減される。
【０００９】
液化緩衝部は、液体の寒剤を浸潤させる材料からなるものであってもよい。この場合、熱交換器で凝縮された寒剤が、液化緩衝部に浸潤して液面に向けて降下する。
【発明の効果】
【００１０】
本発明によれば、稼働効率を向上させる脳磁計を提供することができる。
【図面の簡単な説明】
【００１１】
【図１】実施形態に係る脳磁計を示す断面図である。
【図２】図１の脳磁計のデュワーを示す断面図である。
【図３】（ａ）〜（ｃ）はそれぞれ滴下抑制部の変形例を示す図である。
【発明を実施するための形態】
【００１２】
以下、図面を参照しながら本発明に係る脳磁計の好適な実施形態について詳細に説明する。
【００１３】
図１に示す脳磁計１は、計測ユニット１Ａと、制御ユニット１Ｂ（制御部）と、冷凍機ユニット１Ｃ（冷却部）と、を備えている。脳磁計１は、計測ユニット１Ａ内の計測位置Ｈに頭が位置するように被験者Ｐを着座させ、当該被験者Ｐの脳の神経活動に伴って発生する微弱な磁場を非接触で計測、解析する装置である。冷凍機ユニット１Ｃは、計測ユニット１Ａに冷媒を供給する。制御ユニット１Ｂは、脳磁計１の動作全体を統括的に制御する。
【００１４】
計測ユニット１Ａは、計測位置Ｈの周囲に配置され、被験者の脳から発生する磁場を検出するセンサー部３を複数備えている。センサー部３としては、例えばＳＱＵＩＤ（Superconducting Quantum Interference Device）センサーが採用される。この脳磁計１では、被験者Ｐの脳の様々な位置から発生する磁場を検出するため、数十個〜数百個（６４個，１２８個，２５６個など）といった多数の上記センサー部３が、被験者Ｐの頭の表面に沿うように３次元的に配置されている。
【００１５】
計測ユニット１Ａは、断熱容器であるデュワー７（容器部）を備えている。デュワー７は、有底の円筒容器状をなし、デュワー７の底面中央には、計測位置Ｈを囲む半球状の凹部７ａが設けられている。デュワー７内には、上記のセンサー部３と、センサー部３を浸漬させて超伝導転移温度まで冷却する液体の寒剤と、が収納される。上記の寒剤としては、例えば液化ヘリウムなどの冷却流体が用いられる。本実施形態では液化ヘリウム５が寒剤として使用されるものとする。
【００１６】
更に、計測ユニット１Ａは、計測位置Ｈを包囲し被験者Ｐを覆う筐体１５を備えている。筐体１５は、外殻部１５ａと、外殻部１５ａで囲まれた中空部９と、を有し、上下方向に延びる中空の円柱状をなしている。筐体１５の下半部には、被験者Ｐが下方から入り込むための凹部空間１６が形成されている。凹部空間１６は、筐体１５と同軸の円柱面をなす内側面を有している。凹部空間１６は、筐体１５の下端面から筐体１５の上下方向の略中央の位置まで亘って配置されている。
【００１７】
一方、筐体１５の上端面からは、当該筐体１５の中空部９内にデュワー７が挿入されている。デュワー７は、筐体１５と同軸に配置され、筐体１５の上端面から凹部空間１６の近傍の位置まで亘って配置されている。また、凹部空間１６の上面中央には、被験者Ｐの頭部を収納するための頭部収納凹部１６ａが形成されている。頭部収納凹部１６ａは、計測位置Ｈを囲むようにデュワー７の凹部７ａに沿って凹状に形成されている。
【００１８】
更に、筐体１５の中空部９内には、当該筐体１５と同軸の円筒形をなす磁気シールド体１７が収納されている。磁気シールド体１７は、デュワー７と凹部空間１６とを包囲するように、筐体１５の上下方向のほぼ全長に亘って延在している。磁気シールド体１７は、外殻部１５ａに直接的に接触しないように中空部９内に支持されている。
【００１９】
中空部９は、外殻部１５ａとデュワー７の外壁面とで画成される閉鎖空間をなしている。この閉鎖空間が真空状態とされることで、中空部９が真空断熱槽として機能する。すなわち、真空断熱槽９は、デュワー７を包囲して配置され、デュワー７と外殻部１５ａとの間に介在することで、デュワー７と筐体１５外との間の断熱を図っている。また、真空断熱槽９は、磁気シールド体１７の内側及び外側に亘って存在し、磁気シールド体１７と外殻部１５ａとの間に介在することで、磁気シールド体１７と筐体１５外との間の断熱を図っている。
【００２０】
また、デュワー７の内部において、液化ヘリウム５の液面の上方には、寒剤凝縮部１０が設けられている。寒剤凝縮部１０は、デュワー７内の気体のヘリウムを冷却し再凝縮させる。すなわち、デュワー７内では液化ヘリウム５が徐々に蒸発することで気体のヘリウムがデュワー７内に溜っていく。このデュワー７内に溜った気体のヘリウムが、寒剤凝縮部１０によって冷却され再凝縮する。寒剤凝縮部１０には、冷凍機ユニット１Ｃから凝縮用冷媒（例えばヘリウム）が供給される。
【００２１】
脳磁計１の使用時においては、制御ユニット１Ｂによる制御下で、センサー部３が駆動され、各センサー部３が計測位置Ｈに位置する被験者Ｐの脳で発生する磁場を検出する。このとき、デュワー７内においてセンサー部３が液化ヘリウム５に浸漬されることで、センサー部３の超伝導回路が冷却され超伝導転移する。センサー部３に磁場が作用すると、センサー部３は磁場に応じた電気信号を発生し、当該電気信号がセンサー部３から制御ユニット１Ｂに送信される。
【００２２】
前述の通り、筐体１５には、筒型の磁気シールド体１７が内蔵されている。磁気シールド体１７は、例えばニッケルからなる円筒状の基板１７ａと、当該基板１７ａの内壁面全体に成膜されたシールド膜１７ｂとを備えている。シールド膜１７ｂは、例えば、ビスマス系酸化物超伝導体からなる。また、筐体１５には、磁気シールド体１７の外壁面に沿って冷媒を流通させる冷媒管（図示せず）が内蔵されている。そして、この冷媒管に、冷凍機ユニット１Ｃから送出される冷媒（例えばヘリウム）が循環することで、シールド膜１７ｂが超伝導転移温度まで冷却され完全反磁性を発揮する。このような磁気シールド体１７により、計測位置Ｈの近傍から外部磁場の影響が除去され、被験者Ｐの脳で発生する極めて微弱な磁場の検出が可能になる。
【００２３】
制御ユニット１Ｂは、計測ユニット１Ａ及び冷凍機ユニット１Ｃとの間で制御信号を授受し、脳磁計１の動作全体を制御する。制御ユニット１Ｂとしては、例えばパーソナルコンピュータが用いられる。また、制御ユニット１Ｂの情報処理部１３は、センサー部３から受信した電気信号に基づいて、被験者Ｐの脳から発生した磁場を解析する。
【００２４】
続いて、図２を参照しながらデュワー７の内部の構成について説明する。図２は、デュワー７を拡大して詳細に示す断面図である。脳磁計１の使用時には、デュワー７の下部に、液面位置Ａの高さまで貯留された液化ヘリウム５が存在する。以下、脳磁計１の使用時に液化ヘリウム５の液面が形成される予定の位置を液面位置Ａと呼び、貯留された液化ヘリウム５の実際の液面を液面Ｂと呼ぶ場合がある。
【００２５】
デュワー７の底部には、多数のセンサー部３を取付けるためのセンサホルダー２３が設置される。センサホルダー２３は半球状をなし凹部７ａに沿って設置される。センサー部３は、センサホルダー２３に取付けられることで、計測位置Ｈの周囲に規則的に配置される。更に、センサホルダー２３を支持するための円板状の支持プレート２７が、センサホルダー２３の上方に設けられている。支持プレート２７は、超伝導体シート等を含み磁気シールドとして機能するものであってもよい。センサホルダー２３は、少なくともその一部が液面位置Ａよりも下方に位置し、脳磁計１の使用時には液化ヘリウム５の液面Ｂの下に没する。
【００２６】
支持プレート２７の上方には、前述の寒剤凝縮部１０が設置されている。寒剤凝縮部１０は、熱交換器２９を有している。熱交換器２９は、寒剤凝縮部１０の下部に設けられ支持プレート２７よりも上方に位置する。熱交換器２９は、液面位置Ａよりも上方に位置しており、脳磁計１の使用時には液面Ｂの上方に位置する。熱交換器２９は、液面Ｂに平行な姿勢とすることが好ましい。すなわち、熱交換器２９は、脳磁計１の使用時において液面Ｂの上方の仮想の水平面に沿って広がる構造体をなすことが好ましい。この構成によれば、再凝縮したヘリウムが熱交換器２９の位置の端部に集まり、集まったヘリウムが勢いよく熱交換器２９の下側へ落ちていくことを抑制することができる。
【００２７】
寒剤凝縮部１０では、制御ユニット１Ｂによる制御下において、冷凍機ユニット１Ｃから供給される凝縮用冷媒が、ジュール・トムソン弁で断熱膨張されて温度低下することで、熱交換器２９が冷却される。デュワー７内の気体のヘリウムが、低温の熱交換器２９に接触することで冷却され凝縮する。
【００２８】
脳磁計１の運転方法について説明する。脳磁計１の運転では、センサー部３による磁場測定処理と、熱交換器２９によるヘリウム再凝縮処理と、が並行して実行される。具体的には、磁場測定処理の実行中に常に継続的にヘリウム再凝縮処理が実行されてもよい。この場合、液面Ｂの高さを安定させることができる。また、磁場測定処理の実行中に、断続的に（例えば所定の時間間隔で）ヘリウム再凝縮処理が実行されてもよい。この場合、ヘリウム再凝縮処理を効率的に実行することができる。また、磁場測定処理の実行中に、液面Ｂの高さ等が監視され液化ヘリウム５が所定量よりも少なくなったときにヘリウム再凝縮処理が実行されるようにしてもよい。この場合、液面Ｂの高さが安定し、かつ、ヘリウム再凝縮処理を効率的に実行することができる。
【００２９】
磁場測定処理では、制御ユニット１Ｂによる制御下でセンサー部３が動作し、各センサー部３は、計測位置Ｈの被験者Ｐの脳で発生する磁場を検出し、磁場に対応する電気信号を制御ユニット１Ｂに送信する。更に、制御ユニット１Ｂの情報処理部１３が、上記電気信号に基づいて、被験者Ｐの脳から発生した磁場を解析する。
【００３０】
ヘリウム再凝縮処理では、制御ユニット１Ｂによる制御下で冷凍機ユニット１Ｃと寒剤凝縮部１０とが動作し、熱交換器２９が冷却される。デュワー７内で気化したヘリウムは、液面Ｂの上方で低温の熱交換器２９に接触し、冷却されて再凝縮し、デュワー７の下部に戻される。よって、蒸発によって減少するデュワー７内の液化ヘリウム５が、再凝縮によって補充されることになる。
【００３１】
上記のように、脳磁計１の制御ユニット１Ｂは、センサー部３による磁場測定中に、デュワー７内の気化したヘリウムを熱交換器２９で冷却して凝縮させるように、センサー部３及び冷凍機ユニット１Ｃ等を動作させる。このような制御ユニット１Ｂを備える脳磁計１及び上記運転方法による作用効果について説明する。
【００３２】
従来の脳磁計の場合、蒸発で失われた液化ヘリウムを補充する際には、磁場測定処理を停止する必要があるので、液化ヘリウムの補充処理が脳磁計の稼働効率を低下させる一因となっていた。これに対し、上記の脳磁計１及び上記運転方法によれば、センサー部３による磁場測定処理に並行して、ヘリウム再凝縮処理によって液化ヘリウム５が補充される。従って、液化ヘリウム５の補充処理によって脳磁計１の稼働時間が侵食されることが避けられ、稼働効率が向上する。
【００３３】
次に、熱交換器２９で再凝縮したヘリウムをデュワー７の下部に戻すための構造について説明する。
【００３４】
デュワー７内で蒸発したヘリウムが、液面Ｂの上方の熱交換器２９に接触すると、冷却されて再凝縮し液滴として熱交換器２９に付着する。ここで、液滴が熱交換器２９から落下し液面Ｂに衝突すると、液面Ｂの振動によって磁気ノイズが励起され、磁場測定処理に悪影響を与えてしまう。そこで、脳磁計１は、熱交換器２９で凝縮したヘリウムの液滴が下方の液面Ｂに直接滴下することを抑制するための滴下抑制部を備えている。ここで、「液面Ｂに直接滴下することを抑制する」とは、液滴が液面Ｂに直接滴下されないようにすること、液滴の落下距離を短くして滴下の衝撃を軽減すること、などを含む。
【００３５】
以下、滴下抑制部の一例について説明する。熱交換器２９には、滴下抑制部の一例としての液滴案内部材３１が取付けられており、液滴案内部材３１によって上記の滴下抑制部が構成される。液滴案内部材３１は熱交換器２９の近傍から下方に延びており、液滴案内部材３１の下端は液面位置Ａよりも下方に位置する。脳磁計１の使用時には、液滴案内部材３１の下部は液化ヘリウム５の液面Ｂの下に進入した状態となる。
【００３６】
脳磁計１の使用時において、平面視したときに液滴案内部材３１が熱交換器２９全体を包含する形状をなしている。また、液滴案内部材３１は、脳磁計１の使用時において、熱交換器２９全体を包含する平面視形状を有し上下方向の柱軸をもつ柱体の形状（例えば、円柱形状）をなしている。液滴案内部材３１の上端は熱交換器２９に接触していてもよく、接触していなくてもよい。
【００３７】
液面Ｂの高さは脳磁計１の使用時に変動し得るが、脳磁計１の使用時に想定される液面Ｂの最低位置よりも下方に液滴案内部材３１の下端が位置するように、液滴案内部材３１の上下幅が設定されている。この構成によれば、脳磁計１の使用時において常に、液滴案内部材３１の下端が液面Ｂの下方に位置する。
【００３８】
また、熱交換器２９は、脳磁計１の使用時において液面Ｂに水平な姿勢の構造体であり、液滴案内部材３１の上端面全体が熱交換器２９に沿うように設置されており、かつ液滴案内部材３１が上下幅一定の形状とされている。従って、液滴案内部材３１の底面が、脳磁計１の使用時に水平面をなす。
【００３９】
この液滴案内部材３１の構造によれば、ヘリウム再凝縮処理において、熱交換器２９で発生したヘリウムの液滴は、液面Ｂに直接滴下せずに液滴案内部材３１上に落下し、その後、液滴案内部材３１を伝わって比較的低速で液面Ｂに流れ込む。よって、液滴が液面Ｂに到達したときに発生する液面Ｂの振動が低減され、磁気ノイズの発生を抑制することができる。また、液滴案内部材３１の底面が脳磁計１の使用時に水平面をなす構成によれば、液面Ｂが低下した場合に液滴案内部材３１の底面の一部が液面Ｂ上に露出する状態が避けられ、この露出部分から液滴が液面Ｂに滴下されることが避けられる。
【００４０】
液滴案内部材３１は、液化ヘリウムを浸潤させる材料からなることが好ましい。この場合、ヘリウムの液滴は、液滴案内部材３１に浸潤した状態で液面Ｂに向けて低速で降下するので、液滴が液面Ｂに到達したときに発生する液面Ｂの振動をより低減することができる。液化ヘリウムを浸潤させる材料としては、例えば布材等の吸液性を有する材料が採用されてもよい。布材としては、織布であっても不織布であってもよい。例えば、液滴案内部材３１を構成する布材として、ポリエステル繊維の織布が採用されてもよい。
【００４１】
液滴案内部材３１を備える脳磁計１による作用効果について説明する。液滴案内部材３１を備えない場合には、前述のように、ヘリウム再凝縮処理において熱交換器２９から落下した液滴が液面Ｂに衝突し、液面Ｂの振動によって磁気ノイズが励起される。この磁気ノイズが大きい場合には、正確な磁場測定処理が不可能になる場合がある。従って、磁場測定処理をヘリウム再凝縮処理と並行して実行することは困難と考えられ、ヘリウム再凝縮処理の実行時には磁場測定処理を停止せざるを得ない場合もある。これに対し脳磁計１では、ヘリウム再凝縮処理において、熱交換器２９で発生したヘリウムの液滴は、液面Ｂに直接滴下せずに液滴案内部材３１上に落下し、その後、液滴案内部材３１を伝わって比較的低速で液面Ｂに流れ込む。よって、液滴が液面Ｂに到達したときに発生する液面Ｂの振動が低減される。その結果、ヘリウム再凝縮処理で発生する磁気ノイズが抑制される。従って、磁場測定処理への磁気ノイズによる悪影響が抑えられるので、磁場測定処理とヘリウム再凝縮処理とを並行して実行することが容易になる。
【００４２】
本発明は、上述した実施形態を始めとして、当業者の知識に基づいて種々の変更、改良を施した様々な形態で実施することができる。また、上述した実施形態に記載されている技術的事項を利用して、実施例の変形例を構成することも可能である。各実施形態の構成を適宜組み合わせて使用してもよい。
【００４３】
例えば、滴下抑制部としては、図２に示される液滴案内部材３１に代えて、図３（ａ）〜（ｃ）に示されるような構造体を採用してもよい。なお、図３（ａ）〜（ｃ）では、液面Ｂと熱交換器２９と各変形例に係る構造体９１，９２，９３を拡大して図示する。図３（ａ）に示されるように、下方に向かって水平断面形状が拡大される液滴案内部材９１を液滴案内部材３１に代えて採用してもよい。また、図３（ｂ）に示されるように、熱交換器２９からの液滴を受ける漏斗状構造体９２を採用してもよい。この場合、液滴は漏斗状構造体９２の内壁面を伝わって液面Ｂまで案内される。また、図３（ｂ）に示されるように、熱交換器２９からの液滴を受ける螺旋傾斜面９４を備える構造体９３を採用してもよい。この場合、液滴は螺旋傾斜面９４を伝わって液面Ｂまで案内される。
【００４４】
例えば、実施形態及び図３の変形例では、滴下抑制部の下端が液面位置Ａよりも下方に位置する例を説明したが、これには限定されない。すなわち、滴下抑制部の下端が液面位置Ａよりもやや上方に位置し、液滴が滴下抑制部の下端から液面Ｂに滴下されるようにしてもよい。この場合であっても、熱交換器２９から液滴が直接滴下される場合に比較すると、液滴の落下距離が短くなり、液面Ｂの振動が低減され、磁気ノイズの発生が抑制される。
【符号の説明】
【００４５】
１…脳磁計、１Ｂ…制御ユニット（制御部）、１Ｃ…冷凍機ユニット（冷却部）、３…センサー部、５…液化ヘリウム（寒剤）、７…デュワー（容器部）、２９…熱交換器、３１…液滴案内部材（滴下抑制部）、９１…液滴案内部材（滴下抑制部）、９２…漏斗状構造体（滴下抑制部）、９３…構造体（滴下抑制部）、Ｂ…液面、Ｐ…被験者。
【図１】
2019005492.tif 000003
【図２】
2019005492.tif 000004
【図３】
2019005492.tif 000005